(57)【特許請求の範囲】
【請求項１】
記憶部に検知したデータが記録されるセンサーと、
第１期間毎に定期的に、無線信号を受信する無線通信部と、
前記無線信号に基づいて前記センサーの感度、前記センサーの測定間隔、前記センサーの電源のオンオフ状態、及び前記センサーの１つ又は複数の低消費電力モードの設定のうち少なくとも１つの設定を変更する制御部と、
を備え、
前記制御部は受信した前記無線信号に含まれた第１識別情報と、前記記憶部に保存された第２識別情報とを照合して、一致の場合に前記センサーの設定を変更し、不一致の場合に前記センサーの設定を変更しない、
データロガー。
【請求項２】
前記記憶部に記録されたデータは、有効桁数が変化した部分、又は測定間隔が変化した部分を含む、
請求項１に記載のデータロガー。
【請求項３】
前記無線信号は、前記無線信号を発信する発信機の属性情報をさらに含み
前記記憶部に記録されたデータは、設定変更時の前記属性情報を含む、
請求項１又は請求項２に記載のデータロガー。
【請求項４】
前記センサーは、加速度センサー、温度センサー、湿度センサー、照度センサー、磁力センサー、気圧センサー、ジャイロスコープセンサー、及び近接センサーのうち少なくとも１つ備える、
請求項１乃至請求項３のいずれかに記載のデータロガー。
【請求項５】
請求項１乃至請求項４のいずれかに記載のデータロガーと、前記無線信号を継続的に発信する発信機と、を備える、
ログシステム。
【請求項６】
第１及び第２無線信号をそれぞれ発信する第１及び第２発信機をさらに備え、
前記データロガーの前記制御部は、
前記無線通信部が前記第１無線信号を受信すると、前記第１無線信号に基づいて前記センサーの設定を変更し、
前記無線通信部が前記第２無線信号を受信すると、前記第２無線信号に基づいて前記センサーの設定を変更する、
請求項５に記載のログシステム。
【請求項７】
前記第１無線信号は前記センサーの第１設定情報と、第１優先順位情報とを含み、
前記第２無線信号は前記センサーの第２設定情報と、第２優先順位情報とを含み、
前記データロガーの前記制御部は、
前記無線通信部が前記第１及び第２無線信号を受信すると、前記第１及び第２優先順位情報に基づいて、前記第１又は第２設定情報を前記センサーに適用する、
請求項６に記載のログシステム。
【発明の詳細な説明】
【技術分野】
【０００１】
実施形態はデータロガー及びログシステムに関する。
【背景技術】
【０００２】
荷物の輸送環境を記録する手段として利用される、センサーを内蔵したデータロガーが知られている。
【先行技術文献】
【特許文献】
【０００３】
【特許文献１】特許第４７２９１３７号明細書
【発明の概要】
【発明が解決しようとする課題】
【０００４】
記録するデータの信頼性を向上することが可能なデータロガー及びログシステムを提供する。
【課題を解決するための手段】
【０００５】
実施形態のデータロガーは、センサーと、無線通信部と、制御部と、を備える。センサーは、検知したデータが記憶部に記録される。無線通信部は、第１期間毎に定期的に、無線信号を受信する。制御部は、無線信号に基づいてセンサーの感度、センサーの測定間隔、センサーの電源のオンオフ状態、及びセンサーの１つ又は複数の低消費電力モードの設定のうち少なくとも１つの設定を変更する。制御部は、受信した無線信号に含まれた第１識別情報と、記憶部に保存された第２識別情報とを照合して、一致の場合にセンサーの設定を変更し、不一致の場合にセンサーの設定を変更しない。
【図面の簡単な説明】
【０００６】
【図１】第１実施形態に係るログシステムのブロック図。
【図２】第１実施形態に係るログシステムにおけるデータロガーのブロック図。
【図３】第１実施形態に係るログシステムにおける発信機のブロック図。
【図４】第１実施形態に係るログシステムにおける動作を説明するための具体例。
【図５】第１実施形態に係るログシステムにおける動作のフローチャート。
【図６】第１実施形態に係るログシステムで記録されたデータシート。
【図７】第１実施形態に係るログシステムを使用する場合の具体例。
【図８】第２実施形態に係るログシステムにおける動作のフローチャート。
【図９】第３実施形態に係るログシステムにおける動作を説明するための具体例。
【図１０】第３実施形態に係るログシステムにおける動作のフローチャート。
【図１１】第４実施形態に係るログシステムにおける動作を説明するための具体例。
【図１２】第４実施形態に係るログシステムにおける動作のフローチャート。
【図１３】第１実施形態に係るログシステムで記録されたデータシート。
【発明を実施するための形態】
【０００７】
以下、実施形態について、図面を参照して説明する。尚、以下の説明において、同一の機能及び構成を有する要素については、共通する参照符号を付す。参照符号を構成する数字の後ろの“アルファベット”は、同じ数字を含んだ参照符号によって参照され且つ同様の構成を有する要素同士を区別するために用いられている。同じ数字を含んだ参照符号で示される要素を相互に区別する必要がない場合、これらの要素は、数字のみを含んだ参照符号により参照される。
【０００８】
図面は模式的なものである。各実施形態は、この実施形態の技術的思想を具体化するための装置や方法を例示するものであって、実施形態の技術的思想は、使用方法、構成部品等を下記のものに特定するものではない。
【０００９】
［１］第１実施形態
以下に、第１実施形態に係るデータロガー及びログシステムについて説明する。
【００１０】
［１−１］ログシステム１の構成
まず、図１を用いてログシステムの構成について説明する。図１にはログシステムのブロック図が示されている。図１に示すようにログシステム１は、データロガー１０、及び発信機２０を備えている。
【００１１】
データロガー１０は、各種センサー及び記憶部を備え、所定の間隔でセンサーが検知した測定結果を記憶部に保存する。このデータロガー１０は、例えば輸送対象の荷物に設置され、荷物の輸送時における振動や衝撃等を検知して記録する。これによりユーザーは、輸送された荷物が破損する等の影響を受けた場合に、輸送過程のどの時点で荷物に対して振動や衝撃等が加えられたのかを知ることが出来る。
【００１２】
発信機２０は、データロガー１０の設定情報等を含む無線信号を発信する。この無線信号を受信したデータロガー１０は、センサーの感度や測定周期等の各種設定を変更する。この発信機２０は、例えばデータロガー１０が設置された荷物の輸送経路に少なくとも１つ設置される。発信機２０を設置する場所としては、例えば荷物を運搬するトラック等の輸送手段や、荷物を保管する倉庫等が挙げられる。
【００１３】
以下に、データロガー１０及び発信機２０の構成についてそれぞれ説明する。
【００１４】
まず、図２を用いてデータロガー１０の構成について説明する。図２にはデータロガー１０のブロック図が示されている。図２に示すようにデータロガー１０は、制御部１１、無線通信部１２、センサー部１３、ＲＴＣ（Real Time Clock）１４、及び記憶部１５を備えている。
【００１５】
制御部１１は、データロガー１０の全体を制御する。例えば制御部１１は、センサー部１３が検知した測定結果を記憶部１５に保存させる。また制御部１１は、無線通信部１２やセンサー部１３等、データロガー１０の設定を変更することが可能である。この制御部１１としては、例えばＣＰＵ（Central Processing Unit）やＭＰＵ（Micro Processing Unit）等が使用される。また制御部１１は、例えばＡＳＩＣ（Application Specific Integrated Circuit）やＦＰＧＡ（Field Programmable Gate Array）等の集積回路により実現されても良い。
【００１６】
無線通信部１２は、データロガー１０が外部と通信する手段として使用される。例えば無線通信部１２は、発信機２０から発信された無線信号を所定の間隔で受信する。ここで所定の間隔とは、連続で受信する場合と、一定の間隔で受信する場合と、ランダムの間隔で受信する場合とを含んでいる。このランダムの間隔は、例えば一定の間隔に対してランダム時間を加えることによって生成される。本実施形態は、無線通信部１２が無線信号を一定の間隔で受信する場合を例に説明する。尚、無線通信部１２による通信方式としては、例えば無線ＬＡＮ（Local Area Network）、Ｂｌｕｅｔｏｏｔｈ（登録商標）等が使用される。
【００１７】
センサー部１３は、データロガー１０が設置された荷物等の状態を検知する。例えばセンサー部１３は、加速度センサー、温度センサー、湿度センサー、照度センサー、磁力センサー、気圧センサー、ジャイロスコープセンサー、近接センサー等のセンサーを少なくとも１つ備えている。またセンサー部１３は、複数のセンサーを備えている場合、センサー毎に設定を変更したり、電源をオンオフしたりすることが可能である。
【００１８】
ＲＴＣ１４は、時間を測定するモジュールである。このＲＴＣ１４は、例えば制御部１１が時刻及び時間を把握・測定する手段として使用される。
【００１９】
記憶部１５は、制御部１１の作業領域及び各種情報の保存領域として使用され、例えばＲＡＭ（Random Access Memory）、ＮＡＮＤ型フラッシュメモリ等の半導体記憶装置によって形成されている。図２に示すように記憶部１５は、識別情報保存部、設定情報保存部、及び測定情報保存部を備えている。識別情報保存部及び設定情報保存部にはそれぞれ、データロガー１０の１つ又は複数の識別情報ＩＤlog及び設定情報ＳＥＴlogが保存される。識別情報ＩＤlogは、データロガー１０を特定するための識別情報であり、設定情報ＳＥＴlogは、データロガー１０内部の各要素を動かすための設定値等を含む設定情報である。測定情報保存部には、センサー部１３の測定結果が保存される。尚、記憶部１５の備える各保存部にはそれぞれ、異なる半導体記憶装置を用いても良い。また測定情報保存部として、データロガー１０に接続された外部の半導体記憶装置を使用することも可能である。この場合、データロガー１０の記憶部１５に測定情報保存部が設けられなくても良い。
【００２０】
尚、データロガー１０の設定情報には、例えば制御部１１の動作モード、無線通信部１２の動作モード、センサー部１３の動作モード、記憶部１５に保存するデータの形式並びに内容、及びデータロガー１０を動作開始又は終了させる制御情報等のうち少なくとも一つが含まれている。この無線通信部１２の動作モードは、例えば無線信号を受信する間隔等を指示する。このセンサー部１３の動作モードは、例えば測定方法、感度（閾値）、間欠動作の時間設定、連続動作の時間設定、及び１つ又は複数の低消費電力モードの設定等を指示する。この低消費電力モードとは、センサーが消費電力を抑制することが可能な設定で動作するモードである。例えば、低消費電力モードにおいてセンサーは、サンプリングレート、デューティ比等を下げて測定をする。これによりセンサーは、測定精度がある程度犠牲になるが、消費電力を抑制することが出来る。
【００２１】
次に、図３を用いて発信機２０の構成について説明する。図３には発信機２０のブロック図が示されている。図３に示すように発信機２０は、制御部２１、無線通信部２２、及び記憶部２３を備えている。
【００２２】
制御部２１は、発信機２０全体の動作を制御する。例えば制御部２１は、記憶部２３に保存された設定情報ＩＤtrans及び識別情報ＳＥＴtransを、無線通信部２２を介して外部に発信させる。識別情報ＩＤtransは、設定情報ＳＥＴtransを適用するデータロガー１０を区別するための識別情報である。設定情報ＳＥＴtransは、データロガー１０の各種設定値等を含む設定情報であり、また、発信機２０の現在周辺環境を示す属性情報も含んでいる。この制御部２１の構成は、例えば制御部１１と同様である。
【００２３】
無線通信部２２は、発信機２０が外部と通信する手段として使用される。例えば無線通信部２２は、前述した無線信号を連続的に発信する。この無線通信部２２の構成は、例えば無線通信部１２と同様である。
【００２４】
記憶部２３は、識別情報保存部及び設定情報保存部を備えている。この識別情報保存部及び設定情報保存部にはそれぞれ、識別情報ＩＤtransと、設定情報ＳＥＴtransとが保存される。この記憶部２３の構成は、例えば記憶部１５と同様である。
【００２５】
尚、記憶部２３は、識別情報ＩＤtrans及び設定情報ＳＥＴtransを複数有していても良い。例えば、制御部２１は、各識別情報ＩＤtransに対してそれぞれ異なる設定情報ＳＥＴtransを対応付けて、複数のデータロガー１０に対してそれぞれ異なる設定情報ＳＥＴtransを配信するようにしても良い。
【００２６】
［１−２］ログシステム１の動作
次に、図４及び図５を用いてログシステム１の動作について説明する。図４には、ログシステム１を使用する具体例として、（Ａ）輸送対象の荷物３０に設置されたデータロガー１０が記録を開始し、（Ｂ）荷物３０が発信機２０圏内に移動し、（Ｃ）荷物３０が発信機２０の圏外に移動する過程が示されている。図５には、図４に示す具体例におけるログシステム１の動作フローチャートが示されている。以下に、この詳細について説明する。
【００２７】
まず、図４の（Ａ）に示す過程について説明する。荷物３０に設置されたデータロガー１０は、電源がオンされると初期設定を開始し、図５に示すようにまず初期設定をロードする（ステップＳ１０）。この初期設定は、記憶部１５に保存された設定情報ＳＥＴlogに基づいて実行される。具体的には、制御部１１が記憶部１５から各種設定情報を読み出し、例えば無線通信部１２が無線信号を受信する間隔、及びセンサー部１３の測定感度等が設定される。そしてデータロガー１０は、センサー部１３及びＲＴＣ１４を制御して記録を開始する（ステップＳ１１）。具体的には、制御部１１は、センサー部１３が検知した測定結果と、ＲＴＣ１４の時刻情報を対応付けて記憶部１５に保存する。このとき無線通信部１２は、発信機２０からの無線信号を待ち受ける状態に遷移している。
【００２８】
次に、図４の（Ｂ）に示す過程について説明する。発信機２０は電源がオンされると初期設定を開始し、図５に示すようにまず識別情報ＩＤtransをロードして（ステップＳ２０）、続けて設定情報ＳＥＴtransをロードする（ステップＳ２１）。具体的には、制御部２１が記憶部２３から識別情報ＩＤtrans及び設定情報ＳＥＴtransを読み出す。そして制御部２１は、無線通信部２２にこの識別情報ＩＤtrans及び設定情報ＳＥＴtransを含む無線信号を発信させる（ステップＳ２２）。
【００２９】
そして、荷物３０が発信機２０の圏内に移動すると（ステップＳ１２）、データロガー１０の無線通信部１２は、発信機２０の無線信号を受信する（ステップＳ１３）。すると無線通信部１２は、制御部１１に無線信号の受信を通知する。この通知を受けた制御部１１は、発信機２０から送信された識別情報ＩＤtransと、データロガー１０の記憶部１５に保存された識別情報ＩＤlogとを照合する（ステップＳ１４）。
【００３０】
識別情報が不一致の場合、データロガー１０はそのままの設定で記録を続行する。一方、識別情報が一致した場合、続けて制御部１１は無線信号に含まれた設定情報ＳＥＴtransを確認する（ステップＳ１５）。具体的には、制御部１１は、この設定情報ＳＥＴtransに含まれた属性情報を参照して、設定情報ＳＥＴtransを記憶部１５に保存する必要があるかどうかを判断する。
【００３１】
設定情報が保存不要と判断された場合、データロガー１０はそのままの設定で記録を続行する。一方、設定情報が保存必要と判断された場合、制御部１１はこの設定情報ＳＥＴtransを記憶部１５に保存する（ステップＳ１６）。そして制御部１１は、この設定情報ＳＥＴtransに基づいてデータロガー１０内部の設定を変更する（ステップＳ１７）。するとデータロガー１０は、変更された設定で記録を再開する。
【００３２】
次に、図４の（Ｃ）に示す過程について説明する。荷物３０が発信機２０の圏外に移動すると（ステップＳ１８）、無線通信部１２は発信機２０からの無線信号を受信できなくなる。このときデータロガー１０は、変更された設定のまま記録を継続する。そして荷物３０が発信機２０の圏外に移動してから所定の時間が経過すると、データロガー１０は、センサー部１３等の設定をステップＳ１０で設定された初期設定に戻す（ステップＳ１９）。つまり、設定情報ＳＥＴtransを含む無線信号を所定の時間で受信出来なかった場合、データロガー１０は初期設定に戻して記録を再開する。
【００３３】
以上のように、データロガー１０は発信機２０からの無線信号を受信すると、制御部１１が受信した設定情報を適用するかどうかを判断する。つまりデータロガー１０は、発信機２０と組み合わせることで、人の操作を介することなく各種設定を変更する。
【００３４】
上記データロガー１０が記録したデータについて、図６を用いて説明する。図６はデータロガー１０が記録したデータシートの一例であり、カウント、日付、時刻、及び２つのセンサー（第１センサー及び第２センサー）の測定結果が示されている。
【００３５】
図６に示す例では、データロガー１０の記録開始後のデータと、設定変更後のデータとで、測定周期、第１センサーの感度、及び第２センサーの状態が変更されている。具体的には、測定周期が１０秒毎から１分毎に変更され、第１センサーの測定結果が感度変更に伴い小数点以下３桁から小数点以下２桁に変更され、第２センサーが設定変更によりオンからオフに変更されている。
【００３６】
このように、データロガー１０が記録するデータは、記録途中で設定が変更された場合、設定変更前後でデータの有効桁数やデータの測定周期（測定間隔）等が変化する。またデータロガー１０は、データシート上に設定が変更された時刻及びその設定内容を記録するようにしても良い。
【００３７】
［１−３］第１実施形態の効果
次に、第１実施形態の効果について説明する。第１実施形態に係るログシステム１によれば、データロガー１０が記録するデータの信頼性を向上することが出来る。また、データロガー１０の消費電力を抑制することが出来る。また、データロガー１０が記録するデータ量を削減することが出来る。以下に、この効果の詳細について説明する。
【００３８】
データロガーを荷物の輸送環境を記録する手段として利用する場合、データロガーにおけるセンサーや記録頻度等の設定は、固定の設定又は輸送開始時に設定され、輸送の開始から終了まで一定となる。しかし、荷物の輸送環境は自動車、鉄道、船、及び飛行機等でそれぞれ異なる。その為、事前に荷物の運輸環境を予測して、全ての状況に対して最適な設定をデータロガーに適用することは難しい。例えば、自動車で輸送する際に走行中の路面の振動や加減速のノイズが大量に記録されたり、コンテナ等の暗所に保管される際に光強度情報を記録し続けたりする。その結果データロガーは、価値の低いデータが記録され、余計な保存領域が使用される。また、測定の必要の無いセンサーを動作させることにより、余計な電力を消費する。
【００３９】
そこで、本実施形態に係るログシステム１は、外部から受けた無線信号によって設定を変更可能なデータロガー１０と、データロガー１０の設定情報を含む無線信号を発信する発信機２０とを備えている。具体的には、輸送経路に設置された発信機２０が輸送環境毎に最適なデータロガー１０の設定を発信することによって、データロガー１０が動的に内部の設定を変更する。つまりデータロガー１０は、人の操作を介すること無く、輸送環境毎に各センサーの感度設定やオンオフ状態等を最適化することが出来る。
【００４０】
このログシステム１の運用例について、図７を用いて説明する。図７には、ログシステム１を運用する具体例として、データロガー１０が設置された荷物３０が（Ａ）トラックで輸送される場合、（Ｂ）船で輸送される場合、及び（Ｃ）倉庫に保管される場合が示されている。この場合データロガー１０は、トラック、船、及び倉庫にそれぞれ設置された発信機２０Ａ、２０Ｂ、及び２０Ｃからの無線信号を受けて、以下のような設定にされる。
【００４１】
トラックで輸送される場合、荷物３０は運転時に路面からの小さな振動を受けることが考えられる。そこでデータロガー１０は、加速度センサーの採集閾値を高めに設定する。つまり、加速度センサーを路面からの振動を記録しないような閾値に設定することにより、運転時に発生する路面からの小さな振動を無視する。このように、実質的にノイズ成分となる小さな振動を無視することで、データロガー１０は、荷物３０に対して影響が大きい、トラックの急加速や急ブレーキを効果的に検出出来る。
【００４２】
船で輸送される場合、荷物３０は暗所のコンテナ内に長時間置かれることが考えられる。そこでデータロガー１０は、無線で通信する頻度を減らし、且つライトセンサーの電源をオフにする。つまり、無線通信の頻度を減らし且つこの輸送環境において価値の低いライトセンサーの電源をオフすることで、データロガー１０は消費電力を抑制することが出来る。
【００４３】
倉庫に保管される場合、荷物３０は人の手によって仕分け等の作業がされることが考えられる。そこでデータロガー１０は、加速度センサーの感度及び記録頻度を高く設定する。つまり、荷物３０の状態を細かく記録することで、荷物３０が落とされる又は衝撃が加えられる等の影響を受けた瞬間を検出し易くなる。また、保管した倉庫が営業時間か否かによって、倉庫に設置された発信機２０Ｃが発信する設定情報を変更しても良い。この場合、例えば営業時間内にはセンサーの感度及び記録頻度を高く設定し、営業時間外には無線通信の頻度やセンサーの記録頻度を下げる。これによりデータロガー１０は、データ量を削減し、且つ消費電力を抑制することが出来る。
【００４４】
以上のように、本実施形態に係るログシステム１におけるデータロガー１０は、輸送環境毎に設置された発信機２０から最適な設定情報を受信する。そしてデータロガー１０は受信した設定情報に基づいて一時的にセンサー部１３等の設定を変更する。これにより、データロガー１０は、記録したデータに含まれるノイズを環境毎に低減することが出来、記録するデータの信頼性を向上することが出来る。
【００４５】
また、データロガー１０は、センサー部１３等の電源を環境毎にオンオフしたり記録動作の実行頻度を減らしたりすることによって、消費電力を抑制することが出来る。これによりデータロガー１０は、記録するデータ量が削減されるため、データの保存領域を節約することが出来る。
【００４６】
また、ログシステム１においてデータロガー１０は、発信機２０によって、人の操作を介すること無く設定を変更することが可能となる。これにより、人の手によって設定を変更する場合と比べて、誤った設定が適用されるリスクを低減することが出来る。
【００４７】
尚、本項目において説明した運用例はあくまで一例であり、環境毎の最適設定は、輸送する荷物や環境等によって様々な設定を適用することが考えられる。
【００４８】
［２］第２実施形態
次に、第２実施形態に係るデータロガー及びログシステムについて説明する。第２実施形態は、上記第１実施形態において、データロガーが発信機から受信した設定情報を初期設定情報に上書きするものである。以下に、第１実施形態と異なる点を説明する。
【００４９】
［２−１］ログシステム１の動作
まず、図８を用いてログシステム１の動作について説明する。図８には、図４で説明した具体例に対応する、ログシステム１の動作フローチャートが示されている。第２実施形態に係るログシステム１の動作は、第１実施形態で説明した図５において、データロガー１０が発信機２０から受信した設定信号ＳＥＴtransを確認するステップＳ１５以降の動作が異なる。
【００５０】
ステップＳ１５において、発信機２０から受信した設定情報ＳＥＴtransが保存必要と判断された場合、制御部１１はこの設定情報ＳＥＴtransを記憶部１５に保存された初期設定（設定情報ＳＥＴlog）に対して上書き保存する（ステップＳ３０）。そして制御部１１は、この設定情報に基づいてデータロガー１０の設定を変更する（ステップＳ３１）。するとデータロガー１０は、変更された設定で記録を再開する。
【００５１】
荷物３０が発信機２０の圏外に移動すると（ステップＳ３２）、無線通信部１２は発信機２０からの無線信号を受信できなくなる。このときデータロガー１０は、初期設定が発信機２０から受けた設定情報に変更されているため、そのままの設定で記録を継続する。
【００５２】
［２−２］第２実施形態の効果
次に、第２実施形態の効果について説明する。第２実施形態に係るログシステム１によれば、第１実施形態と同様の効果を得ることが出来、さらにデータロガー１０の初期設定作業が簡便になる。以下に、この詳細について説明する。
【００５３】
複数の荷物の輸送環境を記録する場合、各荷物に対してそれぞれデータロガーが設置される。例えば、国際運輸環境を測定するデータロガーは、国によって異なる初期設定を使用することがあるため、複数のデータロガー１０に対して個別に初期設定を行う必要がある。このような場合、データロガーの設定更新時の作業量が多くなってしまう。
【００５４】
そこで、本実施形態に係るログシステム１においてデータロガー１０は、発信機２０から受けた設定情報を初期設定に対して上書き保存する。これにより、大量にあるデータロガー１０に対して一斉に初期設定を更新することが出来、設定更新時の作業量を軽減することが出来る。このように、本実施形態のデータロガー１０は、運用する際のメンテナンス性が向上する。
【００５５】
尚、発信機２０が発信する設定情報に対して、データロガー１０が受信した設定情報を初期設定に対して上書き保存するか、初期設定とは別に保存するかを指示する判別情報を追加しても良い。例えば、設定情報を受信した際に制御部１１がこの判別情報を確認することによって、第１及び第２実施形態を同時に運用することが出来る。
【００５６】
［３］第３実施形態
次に、第３実施形態に係るデータロガー及びログシステムについて説明する。第３実施形態は、上記第１及び第２実施形態において、データロガーが発信機から予約情報を受信する。そしてデータロガーは、この予約情報に基づいて内部の設定を変更する。以下に、第１及び第２実施形態と異なる点を説明する。
【００５７】
［３−１］ログシステム１の動作
まず、図９及び図１０を用いてログシステム１の動作について説明する。図９には、ログシステム１を使用する具体例として、（Ａ）空港で空輸予定の荷物が発信機２０の予約情報を受信し、（Ｂ）荷物３０が飛行機で輸送される過程が示されている。図１０には、図９で説明した具体例に対応する、ログシステム１の動作フローチャートが示されている。第２実施形態に係るログシステム１の動作は、第１実施形態で説明した図５において、発信機２０が発信する情報と、受信した情報に基づいたデータロガー１０の動作が異なる。以下に、この詳細について説明する。
【００５８】
まず、図９の（Ａ）に示す過程について説明する。本実施形態において発信機２０は、予約情報を含む無線信号を発信する。この予約情報は、例えば対象の荷物３０を空輸する予定の便に対応して設定され、設定情報ＳＥＴtransを適用する時刻及び時間が示されている。
【００５９】
そして、荷物３０が発信機２０の圏内に移動すると（ステップＳ１２）、データロガー１０の無線通信部１２は、予約情報を含む無線信号を受信する（ステップＳ４０）。ここで、データロガー１０の制御部１１がこの無線信号を確認する動作（ステップＳ１４及びＳ１５）は、第１実施形態と同様であるため説明を省略する。
【００６０】
ステップＳ１５において、発信機２０から受信した設定情報ＳＥＴtransが保存必要と判断された場合、制御部１１はこの設定情報ＳＥＴtransを記憶部１５に保存する（ステップＳ４１）。そして制御部１１は、予約情報に基づいてデータロガー１０の設定変更予約をする（ステップＳ４２）。ここでデータロガー１０は、この設定変更予約が実行されるまで、そのままの設定で記録を継続する。
【００６１】
次に、図９の（Ｂ）に示す過程について説明する。荷物３０が発信機２０の圏外に移動すると（ステップＳ４３）、無線通信部１２は発信機２０からの無線信号を受信できなくなる。そして荷物３０が飛行機に積載されて飛行時刻が近くなると、データロガー１０は、先程の設定変更予約に基づいてデータロガー１０内部の設定を変更する（ステップＳ４４）。具体的には、ＲＴＣ１４の示す時刻と予約情報の指示する時刻が一致したら、制御部１１は例えば無線通信部１２の電源をオフにして、センサー部１３の閾値設定を飛行機に最適化したものにする。これによりデータロガー１０は、空輸中に無線通信を切った状態で、センサー部１３の測定結果を記録することが出来る。
【００６２】
［３−２］第３実施形態の効果
次に、第３実施形態の効果について説明する。第３実施形態に係るログシステム１によれば、第１実施形態と同様の効果を得ることが出来、さらに発信機２０の圏外であっても、所望の時刻にデータロガー１０を最適な設定に変更することが出来る。以下に、この効果の詳細について説明する。
【００６３】
例えば荷物を空輸する場合、この荷物に設置されたデータロガーは、航空法に対応するために、飛行機に積載されている間の無線通信をオフにする必要がある。このような場合、荷物を飛行機に積載する前にデータロガーの設定を変更しなければならず、積載時の作業量が多くなってしまう。
【００６４】
そこで、本実施形態に係るログシステム１は、発信機２０が設定情報とこれに関連付けられた予約情報を発信し、これらの情報を受信したデータロガー１０が設定変更予約をする。具体的には、データロガー１０の制御部１１は、無線通信部１２が受信した設定情報を記憶部１５に一時的に保存し、予約情報に基づいて設定変更予約をする。そして制御部１１は、ＲＴＣ１４の示す時刻とこの設定変更予約とに基づいて、発信機２０から受信した設定情報をデータロガー１０内部に適用する。
【００６５】
例えば、データロガー１０を設置した荷物３０が空輸される場合、空港に設置された発信機２０は、荷物３０が空輸される予定の便の飛行時刻及び飛行時間に対応した予約情報をデータロガー１０に送信する。するとデータロガー１０は、飛行時刻前までは初期設定又はその他の発信機２０によって変更された設定で動作する。そして予約飛行時刻になると、データロガー１０は、保存された飛行用の設定に切り替える。
【００６６】
これにより、飛行中はデータロガー１０が無線通信を停止し、センサー部１３の設定を航空向けにして記録することが出来る。またデータロガー１０は、飛行終了時刻になったら設定変更予約を終了し、飛行用の設定から初期設定等に戻すようにしても良い。
【００６７】
尚、本項目において説明した運用例はあくまで一例であり、本実施形態の活用手段は飛行機に限定されない。予約情報は、輸送する荷物や環境等による様々な条件下で活用することが可能である。
【００６８】
［４］第４実施形態
次に、第４実施形態に係るデータロガー及びログシステムについて説明する。第４実施形態は、上記第１〜第３実施形態において、データロガーが複数の発信機から無線信号を受信した場合の動作である。以下に、第１〜第３実施形態と異なる点を説明する。
【００６９】
［４−１］ログシステム１の動作
まず、図１１及び図１２を用いてログシステム１の動作について説明する。図１１には、ログシステム１を使用する具体例として、（Ａ）発信機の設置されたトラックによって荷物が輸送され、（Ｂ）発信機の設置された車庫にそのトラックが入る過程が示されている。図１２には、図１１で説明した具体例に対応する、ログシステム１の動作フローチャートが示されている。以下に、この詳細について説明する。
【００７０】
まず、図１１の（Ａ）に示す過程について説明する。荷物３０に設置されたデータロガー１０は、第１実施形態と同様の方法で記録を開始する（ステップＳ１０及びＳ１１）。また、トラックに設置された第１発信機２０Ａは、第１実施形態と同様の手順で発信を開始する（ステップＳ２０Ａ〜Ｓ２２Ａ）。そして荷物３０がトラックに積載され、データロガー１０が発信機２０Ａの圏内に移動すると（ステップＳ５０）、データロガー１０は第１発信機２０Ａの発信する第１識別情報及び第１設定情報を受信する（ステップＳ５１）。するとデータロガー１０は、第１実施形態と同様の手順で動作する。その結果、第１設定情報は記憶部１５に保存され（ステップＳ５２）、データロガー１０内部の設定は第１設定情報に変更される（ステップＳ５３）。
【００７１】
次に、図１１の（Ｂ）に示す過程について説明する。車庫に設置された第２発信機２０Ｂは、第１実施形態と同様の手順で発信を開始する（ステップＳ２０Ｂ〜Ｓ２２Ｂ）。そして荷物３０を積載したトラックが第２発信機２０Ｂの圏内に移動すると（ステップＳ５４）、データロガー１０は第２発信機２０Ｂの発信する第２識別情報及び第２設定情報を受信する（ステップＳ５５）。するとデータロガー１０は、第１実施形態と同様の方法で第２識別情報を照合し（ステップＳ５６）、続けて第２設定情報を確認する（ステップＳ５７）。
【００７２】
ステップＳ５７において第２設定情報が保存必要と判断された場合、制御部１１はこの第２設定情報を記憶部１５に保存する（ステップＳ５８）。このとき記憶部１５には、第１及び第２設定情報が保存されている。すると制御部１１は、第１及び第２設定情報にそれぞれ含まれている優先順位情報を確認する（ステップＳ５９）。
【００７３】
ステップＳ５９において第１設定情報の優先順位よりも第２設定情報の優先順位の方が低い場合、データロガー１０内部の設定は第１設定情報から変更されない。一方、第１設定情報の優先順位よりも第２設定情報の優先順位の方が高い場合、データロガー１０は、内部の設定を第２設定情報に変更して（ステップＳ６０）、記録を再開する。
【００７４】
以上のように、データロガー１０は、一定時間内に複数の発信機２０から無線信号を受信した場合、受信及び保存された複数の設定情報に含まれた優先順位情報を参照する。これにより、データロガー１０は適切な設定情報を選択することが出来る。
【００７５】
尚、以上の説明は、データロガー１０が２つの発信機２０からの無線信号を受信する場合の動作について説明したが、これに限定されない。例えば、３つ以上の発信機２０からの無線信号を受けた場合においても、受信した複数の設定情報を記憶部１５に一時的に保存し、優先順位情報を参照することによって適切な設定情報を選択することが出来る。
【００７６】
また、適切な設定情報を判断する手段としては、上述した優先順位情報に限定されない。例えば、優先順位情報の替わりに、無線信号を受信した際における電波の強度情報を使用しても良い。この場合、例えば電波強度の高い無線信号の設定情報が選択される。
【００７７】
［４−２］第４実施形態の効果
次に、第４実施形態の効果について説明する。第４実施形態に係るログシステム１によれば、第１〜第３実施形態と同様の効果を得ることが出来る。さらにデータロガー１０は、複数の発信機２０から無線信号を受信した際に、最適な設定情報を選択することが出来る。以下に、この効果の詳細について説明する。
【００７８】
例えば、倉庫内でデータロガーが設置された貨物をトラックに積載する際には、データロガーの周辺に複数の発信機がある場合がある。この場合データロガーは、複数の発信機のどれが最適な設定情報に対応するのかを判別することが出来ない。
【００７９】
そこで、第４実施形態に係るログシステム１は、発信機２０に優先順位情報を付加した設定情報を発信させる。そしてデータロガー１０は、複数の発信機２０から無線信号を受信し、複数の設定情報が記憶部１５に保存された場合にこの優先順位情報を参照する。これによりデータロガー１０は、どの設定情報が最適な設定情報に対応するのかを判別することが出来、最適な設定情報をデータロガー１０内部に設定することが出来る。
【００８０】
［５］第５実施形態
次に、第５実施形態に係るデータロガー及びログシステムについて説明する。第５実施形態は、上記第１〜第４実施形態において、データロガーが記録する情報に識別情報を含むものである。以下に、第１〜第４実施形態と異なる点を説明する。
【００８１】
［５−１］データシートの構成
まず、図１３を用いてログシステム１においてデータロガー１０が記録したデータについて説明する。図１３はデータロガー１０が記録したデータシートの一例であり、カウント、日付、時刻、センサーの測定結果、及び識別情報が示されている。
【００８２】
第５実施形態において、発信機２０の記憶部２３に保存された識別情報は、発信機２０の共通する特徴を示す属性情報を含んでいる。この属性情報は、例えば倉庫、トラック、船等に対応する場所又は輸送手段を示す情報である。また属性情報としては、発信機２０の個体を特定できるユニークな情報を用いても良い。このような属性情報としては、例えば発信機２０の管理番号や、発信機２０のアドレス番号等の情報が挙げられる。
【００８３】
データロガー１０が設定情報を受信すると、制御部１１は発信機２０から受信した識別情報を記憶部１５に保存する。そしてデータロガー１０は、記録するデータに対して、この識別情報から抽出した発信機２０の属性情報を関連付けて、記憶部１５に保存する。
【００８４】
図１３に示す例は、第１実施形態において図６で説明したデータシートに対して、第２センサーの情報を識別情報に置き換えたものと同様である。図１３に示すように、データロガー１０の記録開始後のデータと、設定変更後のデータとで、異なる識別情報が記録されている。具体的には、識別情報が“トラック”から“倉庫”に変わっている。つまり図１３に示す設定変更の前後で、荷物の輸送環境がトラックから倉庫に変わり、データロガー１０はそれぞれに最適な設定情報に変更されたことが示されている。
【００８５】
尚、データロガー１０が発信機２０の識別情報を記録する場合、図１３に示すように全ての測定結果と識別情報とを関連付けてデータシートを作成しなくても良い。例えばデータシート上に識別情報の項目を設けずに、設定が変更された時刻及び対応する識別情報のみを別に記録するようにしても良い。
【００８６】
［５−２］第５実施形態の効果
次に、第５実施形態の効果について説明する。第５実施形態に係るログシステム１によれば、第１〜第４実施形態と同様の効果を得ることが出来る。さらにデータロガー１０は、記録時の設定内容を後で調べることが可能となる。以下に、この効果の詳細について説明する。
【００８７】
データロガーは、記録の途中で内部の設定が変更されると、記録されたデータから記録時の設定内容を読み取ることが出来ない。
【００８８】
そこで、第５実施形態に係るログシステム１においてデータロガー１０は、発信機２０の識別情報を記憶部１５に保存する。そしてデータロガー１０は、測定結果を記録する際に発信機２０の識別情報を関連付ける。これにより、ユーザーは記録時の設定内容を後で調べることが出来るようになる。例えば、データロガー１０が測定時に使用したセンサーの種類や、各センサーの設定等を知ることが出来る。
【００８９】
また、記録された発信機２０の識別情報と、その識別情報の受信時刻とを確認することによって、データロガー１０が設置された荷物の移動経路を後で判別及び証明することが出来る。例えば、激しい加速度を測定した記録が残された場合、その記録がなされた記録時刻の識別情報を確認する。これにより、例えば識別情報がトラックと示した場合、トラック移動時において発生した加速度と推定することができる。
【００９０】
［６］変形例等
上記実施形態に係るデータロガー≪１０、図１≫は、センサー≪１３、図２≫と、無線通信部≪１２、図２≫と、制御部≪１１、図２≫と、を備える。センサーは、検知したデータが記憶部≪１５、図２≫に記録される。無線通信部は、第１期間毎に定期的に、無線信号を受信する。制御部は、無線信号に基づいてセンサーの感度、センサーの測定間隔、センサーの電源のオンオフ状態、及びセンサーの１つ又は複数の低消費電力モードの設定のうち少なくとも１つの設定を変更する。制御部は、受信した無線信号に含まれた第１識別信号≪ＩＤtrans、図３≫と、記憶部に保存された第２識別情報≪ＩＤlog、図３≫とに基づいて、第１の場合≪一致、図５≫センサーの設定を変更し、第２の場合≪不一致、図５≫センサーの設定を変更しない。
【００９１】
また、上記実施形態に係るログシステム≪１、図１≫は、上記のデータロガーと、発信機≪２０、図１≫と、を備える。
【００９２】
これにより、記録するデータの信頼性を向上することが可能なデータロガー及びログシステムを提供することが出来る。
【００９３】
尚、実施形態は上記第１〜第５実施形態に限定されず、種々の変形が可能である。例えば上記実施形態について、データロガー１０を設置した荷物の輸送環境を記録する場合を例に説明したが、用途はこれに限定されない。例えば、データロガー１０を用いて人や物の活動状況等を記録しても良い。このような場合においても、データロガー１０は環境毎に最適化された設定で記録することが出来るため、上記実施形態と同様の効果を得ることが出来る。
【００９４】
また、上記実施形態において、データロガー１０の記憶部１５は、プリセットされた幾つかの設定情報を保持していても良い。この場合データロガー１０の制御部１１は、発信機２０の識別信号に基づいてデータロガー１０内部の設定を選択及び適用する。また、発信機２０がこのプリセットされた設定情報に対応する情報を出力することによって、データロガー１０の制御部１１が適用する設定情報を選択するようにしても良い。これにより、発信機２０が発信する情報量を削減することが出来る。
【００９５】
また、上記実施形態において、発信機２０が例えば測位衛星からの電波を補足して現在位置を知る手段を備え、発信する無線信号に現在位置情報を含めるようにしても良い。この場合データロガー１０は、発信機２０からの現在位置情報とセンサーが検知した測定結果を対応付けて記録する。これにより、データロガー１０の記録結果を解析することによって、事象が発生した所在地を判別することが可能になる。
【００９６】
また、上記実施形態において、制御部１１が発信機２０から送信された識別情報ＩＤtransと、データロガー１０の記憶部１５に保存された識別情報ＩＤlogとを照合する際の判定条件は、一致又は不一致で判定する直接一致判定に限定されない。例えば、識別情報として、暗号化された識別情報を使用しても良い。この場合、識別情報を照合する前に、暗号化された識別情報が復号化される。そして制御部１１は、復号化された識別情報のデータが一致するかどうかを判定する。尚、データロガー１０の識別情報ＩＤlogと、発信機２０の識別情報ＩＤtransの両方の識別情報を暗号化しても良いし、一方の識別情報のみを暗号化するようにしても良い。また、「識別情報が一致する」とは、識別情報が完全に一致する場合と、一部分が一致する場合とを含む。この条件は、データロガー１０及び発信機２０の設定によって使い分けることが出来る。
【００９７】
また、上記実施形態においてセンサー部１３が測定したデータを記録する期間、及び無線通信部１２が無線信号を受信する期間とは、それぞれ連続的であること及び間欠的であることを含む。
【００９８】
また、上記実施形態において発信機２０がＲＴＣを備える場合、予約された時刻に基づいて制御部２１が無線通信部２２の電源をオンオフするようにしても良い。
【００９９】
尚、上記実施形態の説明に用いたフローチャートは、可能な限り入れ替え可能である。例えば、第１実施形態で説明した図５において、発信機２０が識別情報及び設定情報をロードする順番は入れ替えても良い。
【０１００】
尚、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１０１】
１…ログシステム、１０…データロガー、１１，２１…制御部、１２，２２…無線通信部、１３…センサー部、１４…ＲＴＣ、１５，２３…記憶部、２０…発信機。
【図１】
0006448573.tif 000002
【図２】
0006448573.tif 000003
【図３】
0006448573.tif 000004
【図４】
0006448573.tif 000005
【図５】
0006448573.tif 000006
【図６】
0006448573.tif 000007
【図７】
0006448573.tif 000008
【図８】
0006448573.tif 000009
【図９】
0006448573.tif 000010
【図１０】
0006448573.tif 000011
【図１１】
0006448573.tif 000012
【図１２】
0006448573.tif 000013
【図１３】
0006448573.tif 000014